(57)【要約】  グラフィカルユーザインターフェース（ＧＵＩ）に対して地図表示を生成する方法は、地図を表示するステップと、第１の測位位置の周囲の前記地図上の第１の領域を強調表示するステップと、第２の測位位置の周囲の前記地図上の第２の領域を強調表示するステップとを有し、前記第１の領域のサイズが前記第１の測位位置の精度に対応し、前記第２の領域のサイズが前記第２の測位位置の精度に対応する。（ａ）前記第１及び第２の領域が重なる場合に、（ｉ）最も新しい又は高精度な測位位置に対応する一方の領域が他方の上に表示されるか、若しくは（ｉｉ）前記重なる領域の強調表示が前記第１及び第２の領域の重ならない部分の強調表示と異なるかのいずれかであり、又は（ｂ）前記測位位置の少なくとも１つが得られた様式が前記強調表示の色により示されるかのいずれかである。前記測位位置の周囲の前記地図上の強調表示された領域は、円以外の形状であってもよい。
2007516460.tif 000002
【特許請求の範囲】
【請求項１】
グラフィカルユーザインターフェースに対して地図表示を生成する方法において、
地図を表示するステップと、
第１の測位位置の周囲の前記地図上の第１の領域を強調表示するステップであって、前記第１の領域のサイズが前記第１の測位位置の精度に対応する、当該第１の領域を表示するステップと、
第２の測位位置の周囲の前記地図上の第２の領域を強調表示するステップであって、前記第２の領域のサイズが前記第２の測位位置の精度に対応する、当該第２の領域を表示するステップと、
を有し、
前記第１の領域及び前記第２の領域が重なる場合に、最も新しい又は高精度な測位位置に対応する一方の領域が他方の上に表示されることを特徴とする方法。
【請求項２】
グラフィカルユーザインターフェースに対して地図表示を生成する方法において、
地図を表示するステップと、
第１の測位位置の周囲の前記地図上の第１の領域を強調表示するステップであって、前記第１の領域のサイズが前記第１の測位位置の精度に対応する、当該第１の領域を表示するステップと、
第２の測位位置の周囲の前記地図上の第２の領域を強調表示するステップであって、前記第２の領域のサイズが前記第２の測位位置の精度に対応する、当該第２の領域を表示するステップと、
を有し、
前記第１の領域及び前記第２の領域が重なる場合に、前記重なる領域の強調表示が、前記第１の領域及び前記第２の領域の重ならない部分の強調表示と異なることを特徴とする方法。
【請求項３】
グラフィカルユーザインターフェースに対して地図表示を生成する方法において、
地図を表示するステップと、
第１の測位位置の周囲の前記地図上の第１の領域を強調表示するステップであって、前記第１の領域のサイズが前記第１の測位位置の精度に対応する、当該第１の領域を表示するステップと、
第２の測位位置の周囲の前記地図上の第２の領域を強調表示するステップであって、前記第２の領域のサイズが前記第２の測位位置の精度に対応する、当該第２の領域を表示するステップと、
を有し、
前記測位位置の少なくとも１つが得られた様式が、前記強調表示の色により示されることを特徴とする方法。
【請求項４】
グラフィカルユーザインターフェースに対して地図表示を生成する方法において、
地図を表示するステップと、
測位位置の周囲の前記地図上の領域を強調表示するステップであって、前記強調表示された領域の円以外の形状である形状及びサイズが前記測位位置の精度に対応する当該強調表示するステップと、
を有することを特徴とする方法。
【請求項５】
請求項１ないし４のいずれか一項に記載の方法を実行する命令を有するコンピュータプログラム。
【請求項６】
請求項１ないし４のいずれか一項に記載の方法を実行する命令を表すデータを記録しているコンピュータ読取可能記憶媒体。
【請求項７】
請求項１ないし４のいずれか一項に記載の方法を実行する命令を表すデータを送信するように構成されたサーバ。
【請求項８】
請求項１ないし４のいずれか一項に記載の方法を実行するように構成されたプロセッサ及びディスプレイを有する装置。
【発明の詳細な説明】
【技術分野】
【０００１】
本発明は、グラフィカルユーザインターフェース（ＧＵＩ）に対して地図表示を生成する方法、並びに同様なコンピュータプログラム、コンピュータ読取可能記憶媒体、サーバ及び装置に関する。特に、本発明は、地図を表示するステップと、測位位置（position fix）の周囲の前記地図上の領域を強調表示する（highlighting）ステップとを有し、前記領域のサイズが前記測位位置の精度に対応するこのような方法に関する。
【背景技術】
【０００２】
日本国特許明細書公開番号６４−０２６１７７は、測位位置の周りに前記測位位置の精度に対応する半径を持つ円を表示する“測位位置表示装置”を開示している。
【発明の開示】
【課題を解決するための手段】
【０００３】
本発明によると、第２の測位位置の周囲の前記地図上の第２の領域を強調表示するステップを更に有し、前記第２の領域のサイズが前記第２の測位位置の精度に対応し、（ａ）前記第１及び第２の領域が重なる場合に、（ｉ）最も新しい又は高精度な測位位置に対応する一方の領域が他方の上に表示されるか、又は（ｉｉ）前記重なる領域の強調表示が、前記第１及び第２の領域の重ならない部分の強調表示とは異なるかのいずれかであるか、（ｂ）前記測位位置の少なくとも１つが得られる様式が、前記強調表示の色により示されるかのいずれかである、前述のタイプの地図表示を生成する方法が提供される。
【０００４】
更に本発明により提供されるのは、前記測位位置の周囲の前記地図上で強調表示された領域が円以外の形状である、前述のタイプの地図表示を生成する方法である。
【０００５】
更に本発明により提供されるのは、請求項５ないし８に記載された同様のコンピュータプログラム、コンピュータ読取可能記憶媒体、サーバ及びコンピュータである。
【０００６】
本発明は、添付図面を参照して例としてのみここに記載される。
【発明を実施するための最良の形態】
【０００７】
図１は、それぞれの近くの携帯電話ネットワーク基地局ＢＳ１及びＢＳ２に登録されて該基地局及び対応する携帯電話ネットワーク（図示されない）との音声及びデータ通信を容易化する、それぞれのユーザ（図示されない）に所有される携帯電話ＭＳ１及びＭＳ２を示す。各携帯電話は、ＧＰＳ受信器（図示されない）を有する。携帯電話ＭＳ１及びＭＳ２は、以下の例のシナリオで説明されるように本発明により動作する。
【０００８】
例１
図２を参照して、電話ＭＳ１のユーザが該ユーザの現在の位置（即ち電話ＭＳ１の現在の位置）を地図上に表示するように電話ＭＳ１に指示すると仮定する。典型的には、このような位置の最も容易に利用可能な推定は、電話ＭＳ１が登録されている図２の基地局ＢＳ１の受信可能範囲に対応するセル領域である（左上から右下への斜めの網掛けにより図示される）。
【０００９】
したがって、携帯電話ＭＳ１が位置決定されるために推定される領域を更に限定するために、強化されたセル位置決定が使用される（右上から左下への斜めの網掛けにより図示される）。強化されたセル位置決定は、典型的には、電話ＭＳ１が登録されている基地局ＢＳ１だけでなく電話ＭＳ１に送信する又は聴取することができる他の近くの基地局にも関する測定を含む。
【００１０】
最後に、携帯電話ＭＳ１のＧＰＳ受信器は、誤差の推定値と一緒に測位位置を返す（水平網掛けにより図示される）。ネットワークに基づく及びＧＰＳに基づく携帯電話位置決定は周知であり、したがって更に詳細には記載されないことに注意する。
【００１１】
３つ全ての網掛け領域が、セル領域測位位置の上にある強化されたセル測位位置の上にある最も新しく最も高精度な測位位置、即ちＧＰＳ測位位置を用いて前記地図上に表示される。“上にある”により、１つの領域の網掛けが前の領域の網掛けに取って代わることを意味する。図２に示されるように、網掛けの境界は上にある網掛けにより覆い隠されないが、こうである必要はない。
【００１２】
陰影を付けられた又は動的に強調表示された領域、例えば点滅が、網掛けの代わりに使用されることができる。また、前記測位位置のそれぞれが得られた様式が、前記強調表示の色により示されることができる。
【００１３】
例２
図３を参照すると、前記網掛け領域を上に重ねて表示するのではなく、網掛けが合併されることを除いて例１と同様である。したがって、網掛けの密度が、携帯電話ＭＳ１の有望な位置に直接的に関係する。
【００１４】
前記領域が網掛けの代わりに陰影を付けることにより強調表示される場合、前記重なる領域の陰影付けは、アルファブレンディングにより行われることができる。前記第１及び第２の領域が同じ色の陰影により強調表示される場合でさえも、前記重なる領域は、より濃く見え、即ち依然として前記領域の重ならない部分と区別される。
【００１５】
例３
電話ＭＳ１のユーザが、電話ＭＳ２を所有する友人の現在の位置と一緒に該ユーザの現在の位置（即ち電話ＭＳ１の現在の位置）を地図上に表示するように指示すると仮定する。
【００１６】
携帯電話ＭＳ１は、電話ＭＳ２にポーリングし、位置誤差の推定値と一緒にＧＰＳ受信器を使用して測位位置を返すように要求し、電話ＭＳ２がこれを行う（左上から右下への斜めの網掛けにより図４に図示される）。２つの携帯電話の間の位置情報の交換は既知であることに注意する。
【００１７】
携帯電話ＭＳ１は、経度誤差及び緯度誤差の両方の推定値と一緒にＧＰＳ受信器を使用して測位位置を決定する（長軸及び短軸がそれぞれ経度及び緯度である楕円形の右上から左下への斜めの網掛けにより図４に図示される）。経度及び緯度におけるＧＰＳ精度の計算は、少なくともGPS Principles and Applications (Editor, Kaplan) ISBN 0-89006-793-7 Artech Houseのセクション7.1.4から既知である。
【００１８】
両方の網掛け領域が前記地図上に表示される。
【００１９】
このような携帯電話、又は実際にはディスプレイ及びプロセッサを持つ他のコンピュータシステムにおける本発明による方法の実施は、ハードウェア、ソフトウェア（コンピュータ、記憶媒体又はこのようなコンピュータに送信するサーバのいずれかに記憶される）又は両方の組み合わせで容易に達成されることができる。もちろん、コンピュータプログラム及び／又はコンピュータハードウェア構成は周知であり、不当な負担無しで当業者により達成される。
【図面の簡単な説明】
【００２０】
【図１】それぞれの近くの携帯電話ネットワーク基地局ＢＳ１及びＢＳ２を介して一緒に通信する携帯電話ＭＳ１及びＭＳ２を概略的に示す。
【図２】本発明により生成された電話表示を示す。
【図３】本発明により生成された電話表示を示す。
【図４】本発明により生成された電話表示を示す。
【図１】
2007516460.tif 000003
【図２】
2007516460.tif 000004
【図３】
2007516460.tif 000005
【図４】
2007516460.tif 000006
【国際調査報告】
2007516460.tif 000007
2007516460.tif 000008
2007516460.tif 000009